【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
コリメートされたレーザビームを出力するように構成されたコリメータと、
前記コリメータが取り付けられた支持部材と、
直線レールであって、前記支持部材に取り付けられた前記コリメータ、および前記コリメータから出力された前記コリメートされたレーザビームが第1の次元で移動できるように、前記支持部材が前記直線レールに沿って前記第1の次元で移動できる、直線レールと、
前記コリメータの下流に位置付けられ、前記コリメートされたレーザビームを検体上の目標位置に導くように構成されたレンズと
を含むレーザシステム。
【請求項２】
約700nm〜約1mmの範囲の波長を有する赤外光波を含む赤外レーザビームを発生させるように構成された赤外レーザをさらに含む、請求項1記載のレーザシステム。
【請求項３】
約620nm〜約700nmの範囲の波長を有する赤色光波を含む赤色レーザビームを発生させるように構成された赤色レーザをさらに含む、請求項2記載のレーザシステム。
【請求項４】
前記赤外レーザビームと前記赤色レーザビームを結合して1つのレーザビームにするように構成された1組の光学部品をさらに含む、請求項3記載のレーザシステム。
【請求項５】
前記コリメータが、前記1つのレーザビームを発散レーザビームとして受け取るように、および前記発散レーザビームを前記コリメートされたレーザビームとして出力するように構成されている、請求項4記載のレーザシステム。
【請求項６】
前記赤外光波を伴う前記コリメートされたレーザビームが前記目標位置で前記検体の構造体に穴を生成することができるように前記赤外レーザを作動させるように構成された制御モジュールをさらに含む、請求項5記載のレーザシステム。
【請求項７】
前記検体が胚であり、前記検体の前記構造体が前記胚の透明帯である、請求項6記載のレーザシステム。
【請求項８】
システムソフトウェアをさらに含み、前記システムソフトウェアによって、ユーザが前記目標位置を選択し、前記制御モジュールに前記赤外レーザを作動させるよう命令することができる、請求項6記載のレーザシステム。
【請求項９】
前記1つのレーザビームを前記コリメータまで伝えるように構成された光ファイバケーブルをさらに含む、請求項4記載のレーザシステム。
【請求項１０】
前記赤色光波が前記検体と相互作用した時に前記検体の画像を生成するように構成された、請求項3記載のレーザシステム。
【請求項１１】
前記直線レールが矩形の凹部を画定する、請求項1記載のレーザシステム。
【請求項１２】
前記支持部材が対応する矩形の凹部を画定する、請求項11記載のレーザシステム。
【請求項１３】
前記支持部材を前記直線レールに移動自在に連結するために前記直線レールの前記矩形凹部内および前記支持部材の前記対応する矩形凹部内で同時に摺動するように構成された玉軸受をさらに含む、請求項12記載のレーザシステム。
【請求項１４】
前記支持部材が第1の支持部材であり、前記直線レールが第1の直線レールであり、前記レーザシステムが、
前記第1の支持部材が取り付けられた第2の支持部材と、
第2の直線レールであって、前記第1の支持部材、その上に支持された前記コリメータ、および前記コリメータから出力された前記コリメートされたレーザビームが前記第1の次元に直交する第2の次元で移動できるように、前記第2の支持部材が前記第2の直線レールに沿って前記第2の次元で移動できる、第2の直線レールと
をさらに含む、請求項1記載のレーザシステム。
【請求項１５】
前記支持部材を前記直線レールに沿って移動させるように構成されたモータをさらに含む、請求項1記載のレーザシステム。
【請求項１６】
前記レンズが、前記コリメートされたレーザビームが前記レンズの中心軸から間隔を置いた位置で前記コリメータから出力されたときに、前記コリメートされたレーザビームを前記レンズの前記中心軸に向けて屈折させるように構成されている、請求項1記載のレーザシステム。
【請求項１７】
前記レンズの下流に位置付けられ、前記コリメートされたレーザビームを取り込むようにならびに前記コリメートされたレーザビーム内の赤外光波および可視光波を前記検体内の同じ平面で合焦させるように構成された顕微鏡対物レンズをさらに含む、請求項1記載のレーザシステム。
【請求項１８】
前記コリメートされたレーザビーム内の赤外光波を反射するように、前記コリメートされたレーザビーム内の可視光波の第1の部分を反射するように、および前記コリメートされたレーザビーム内の前記可視光波の第2の部分を透過させるように構成されたダイクロイックミラーをさらに含む、請求項1記載のレーザシステム。
【請求項１９】
前記ダイクロイックミラーが、前記レンズに対して固定された向きで位置付けられている、請求項18記載のレーザシステム。
【請求項２０】
前記コリメートされたレーザビーム内の赤外光波の透過を遮断するように構成されたフィルタをさらに含む、請求項1記載のレーザシステム。
【手続補正２】
【補正対象書類名】明細書
【補正対象項目名】００５５
【補正方法】変更
【補正の内容】
【００５５】
[本発明1001]
コリメートされたレーザビームを出力するように構成されたコリメータと、
前記コリメータが取り付けられた支持部材と、
直線レールであって、前記支持部材に取り付けられた前記コリメータ、および前記コリメータから出力された前記コリメートされたレーザビームが第1の次元で移動できるように、前記支持部材が前記直線レールに沿って前記第1の次元で移動できる、直線レールと、
前記コリメータの下流に位置付けられ、前記コリメートされたレーザビームを検体上の目標位置に導くように構成されたレンズと
を含むレーザシステム。
[本発明1002]
約700nm〜約1mmの範囲の波長を有する赤外光波を含む赤外レーザビームを発生させるように構成された赤外レーザをさらに含む、本発明1001のレーザシステム。
[本発明1003]
約620nm〜約700nmの範囲の波長を有する赤色光波を含む赤色レーザビームを発生させるように構成された赤色レーザをさらに含む、本発明1002のレーザシステム。
[本発明1004]
前記赤外レーザビームと前記赤色レーザビームを結合して1つのレーザビームにするように構成された1組の光学部品をさらに含む、本発明1003のレーザシステム。
[本発明1005]
前記コリメータが、前記1つのレーザビームを発散レーザビームとして受け取るように、および前記発散レーザビームを前記コリメートされたレーザビームとして出力するように構成されている、本発明1004のレーザシステム。
[本発明1006]
前記赤外光波を伴う前記コリメートされたレーザビームが前記目標位置で前記検体の構造体に穴を生成することができるように前記赤外レーザを作動させるように構成された制御モジュールをさらに含む、本発明1005のレーザシステム。
[本発明1007]
前記検体が胚であり、前記検体の前記構造体が前記胚の透明帯である、本発明1006のレーザシステム。
[本発明1008]
システムソフトウェアをさらに含み、前記システムソフトウェアによって、ユーザが前記目標位置を選択し、前記制御モジュールに前記赤外レーザを作動させるよう命令することができる、本発明1006のレーザシステム。
[本発明1009]
前記1つのレーザビームを前記コリメータまで伝えるように構成された光ファイバケーブルをさらに含む、本発明1004のレーザシステム。
[本発明1010]
前記赤色光波が前記検体と相互作用した時に前記検体の画像を生成するように構成された、本発明1003のレーザシステム。
[本発明1011]
前記直線レールが矩形の凹部を画定する、本発明1001のレーザシステム。
[本発明1012]
前記支持部材が対応する矩形の凹部を画定する、本発明1011のレーザシステム。
[本発明1013]
前記支持部材を前記直線レールに移動自在に連結するために前記直線レールの前記矩形凹部内および前記支持部材の前記対応する矩形凹部内で同時に摺動するように構成された玉軸受をさらに含む、本発明1012のレーザシステム。
[本発明1014]
前記支持部材が第1の支持部材であり、前記直線レールが第1の直線レールであり、前記レーザシステムが、
前記第1の支持部材が取り付けられた第2の支持部材と、
第2の直線レールであって、前記第1の支持部材、その上に支持された前記コリメータ、および前記コリメータから出力された前記コリメートされたレーザビームが前記第1の次元に直交する第2の次元で移動できるように、前記第2の支持部材が前記第2の直線レールに沿って前記第2の次元で移動できる、第2の直線レールと
をさらに含む、本発明1001のレーザシステム。
[本発明1015]
前記支持部材を前記直線レールに沿って移動させるように構成されたモータをさらに含む、本発明1001のレーザシステム。
[本発明1016]
前記レンズが、前記コリメートされたレーザビームが前記レンズの中心軸から間隔を置いた位置で前記コリメータから出力されたときに、前記コリメートされたレーザビームを前記レンズの前記中心軸に向けて屈折させるように構成されている、本発明1001のレーザシステム。
[本発明1017]
前記レンズの下流に位置付けられ、前記コリメートされたレーザビームを取り込むようにならびに前記コリメートされたレーザビーム内の赤外光波および可視光波を前記検体内の同じ平面で合焦させるように構成された顕微鏡対物レンズをさらに含む、本発明1001のレーザシステム。
[本発明1018]
前記コリメートされたレーザビーム内の赤外光波を反射するように、前記コリメートされたレーザビーム内の可視光波の第1の部分を反射するように、および前記コリメートされたレーザビーム内の前記可視光波の第2の部分を透過させるように構成されたダイクロイックミラーをさらに含む、本発明1001のレーザシステム。
[本発明1019]
前記ダイクロイックミラーが、前記レンズに対して固定された向きで位置付けられている、本発明1018のレーザシステム。
[本発明1020]
前記コリメートされたレーザビーム内の赤外光波の透過を遮断するように構成されたフィルタをさらに含む、本発明1001のレーザシステム。
[本発明1021]
コリメートされたレーザビームを出力するコリメータを担持する支持部材を、直線レールに沿って第1の次元で移動させる工程、および
前記コリメータの下流に位置付けられたレンズを使用して、前記コリメートされたレーザビームを検体上の目標位置に導く工程
を含む、検体上の構造体を切除する方法。
[本発明1022]
約700nm〜約1mmの範囲の波長を有する赤外光波を含む赤外レーザビームを発生させる工程をさらに含む、本発明1021の方法。
[本発明1023]
約620nm〜約700nmの範囲の波長を有する赤色光波を含む赤色レーザビームを発生させる工程をさらに含む、本発明1022の方法。
[本発明1024]
前記赤外レーザビームと前記赤色レーザビームを結合して1つのレーザビームにする工程をさらに含む、本発明1023の方法。
[本発明1025]
前記コリメータが、前記1つのレーザビームを発散レーザビームとして受け取るように、および前記発散レーザビームを前記コリメートされたレーザビームとして出力するように構成されている、本発明1024の方法。
[本発明1026]
前記赤外光波を伴う前記コリメートされたレーザビームが前記目標位置で前記検体の構造体に穴を生成するように赤外レーザを作動させる工程をさらに含む、本発明1025の方法。
[本発明1027]
前記検体が胚であり、前記検体の前記構造体が前記胚の透明帯である、本発明1026の方法。
[本発明1028]
システムソフトウェアを介して前記目標位置の選択を受け取る工程、および制御モジュールに前記赤外レーザを作動させるよう命令する工程をさらに含む、本発明1026の方法。
[本発明1029]
前記1つのレーザビームを前記コリメータまで伝える工程をさらに含む、本発明1024の方法。
[本発明1030]
前記赤色光波が前記検体と相互作用した時に前記検体の画像を生成する工程をさらに含む、本発明1023の方法。
[本発明1031]
前記直線レールが矩形の凹部を画定する、本発明1021の方法。
[本発明1032]
前記支持部材が対応する矩形の凹部を画定する、本発明1031の方法。
[本発明1033]
前記支持部材を前記直線レールに移動自在に連結するために前記直線レールの前記矩形凹部内および前記支持部材の前記対応する矩形凹部内で同時に玉軸受を動かす工程をさらに含む、本発明1032の方法。
[本発明1034]
前記支持部材が第1の支持部材であり、前記直線レールが第1の直線レールであり、前記方法が、
第2の支持部材を第2の直線レールに沿って第2の次元で移動させる工程であって、前記第2の次元が前記第1の次元に直交しており、前記第2の支持部材が前記第1の支持部材を担持し、そのためそこに取り付けられた前記コリメータと前記コリメータから出力された前記コリメートされたレーザビームとが第2の方向に移動できる、工程
をさらに含む、本発明1021の方法。
[本発明1035]
前記支持部材が、モータによって前記直線レールに沿って移動される、本発明1021の方法。
[本発明1036]
前記レンズが、前記コリメートされたレーザビームが前記レンズの中心軸から間隔を置いた位置で前記コリメータから出力されたときに、前記コリメートされたレーザビームを前記レンズの前記中心軸に向けて屈折させるように構成されている、本発明1021の方法。
[本発明1037]
前記コリメートされたレーザビームを前記レンズの下流に位置付けられた顕微鏡対物レンズ内に取り込む工程、ならびに前記コリメートされたレーザビーム内の赤外光波および可視光波を前記検体内の同じ平面で合焦させる工程をさらに含む、本発明1021の方法。
[本発明1038]
前記コリメートされたレーザビーム内の赤外光波をダイクロイックミラーで反射させる工程、
前記コリメートされたレーザビーム内の可視光波の第1の部分を前記ダイクロイックミラーで反射させる工程、および
前記コリメートされたレーザビーム内の前記可視光波の第2の部分を前記ダイクロイックミラーで透過させる工程
をさらに含む、本発明1021の方法。
[本発明1039]
前記ダイクロイックミラーが、前記レンズに対して固定された向きで位置付けられている、本発明1038の方法。
[本発明1040]
赤外線フィルタを使用して前記コリメートされたレーザビーム内の赤外光波の透過を遮断する工程をさらに含む、本発明1021の方法。
他の局面、特徴、および利点は、以下の説明および添付の図面ならびに特許請求の範囲から明らかになるであろう。